(57)【要約】【課題】  発光ムラを抑えつつ省スペースを図ることが可能であると共に、照明による装飾機能を備える。【解決手段】  化粧基材（２０）と、該化粧基材の一方の面（２２）側に取り付けられたエレクトロルミネセンスパネル（５０）とを具備し、該エレクトロルミネセンスパネルからの光が前記化粧基材を通じて透過するようにした装飾装置（１００）が提供される。さらに、前記化粧基材と前記エレクトロルミネセンスパネルとの間に配置された補強部（４０）を具備するようにしてもよい。また、さらに、前記化粧基材の前記一方の面に接合する接合基材（３０）を具備し、該接合基材が乳白色の材料から形成されるようにしてもよい。【選択図】      図１
2006039285.tif 000002
【特許請求の範囲】
【請求項１】
化粧基材と、該化粧基材の一方の面側に取り付けられたエレクトロルミネセンスパネルとを具備し、該エレクトロルミネセンスパネルからの光が前記化粧基材を通じて透過するようにした装飾装置。
【請求項２】
さらに、前記化粧基材の他方の面を被覆する透明塗膜を具備する請求項１に記載の装飾装置。
【請求項３】
さらに、前記化粧基材と前記エレクトロルミネセンスパネルとの間に配置された補強部を具備する請求項１または２に記載の装飾装置。
【請求項４】
さらに、前記化粧基材の前記一方の面に接合する接合基材を具備し、該接合基材が乳白色の材料から形成されている請求項１から３のいずれか一項に記載の装飾装置。
【請求項５】
さらに、前記化粧基材の前記一方の面に接合する接合基材を具備し、該接合基材は、微細粒子からなる光拡散材が混入された透明材料から形成されている請求項１から３のいずれか一項に記載の装飾装置。
【請求項６】
さらに、前記化粧基材の前記一方の面に接合する接合基材を具備し、該接合基材は透明材料から形成されており、前記接合基材の表面は所定の手法により荒らされている請求項１から３のいずれか一項に記載の装飾装置。
【請求項７】
さらに、前記化粧基材の前記一方の面に接合する接合基材を具備し、該接合基材は所定色の透明材料から形成されている請求項１から３のいずれか一項に記載の装飾装置。
【請求項８】
さらに、前記化粧基材の前記一方の面側に配置された接合基材を具備し、前記化粧基材と前記接合基材との間には、所定色の透明シートが挿入されている請求項１から３のいずれか一項に記載の装飾装置。
【請求項９】
前記補強部が前記エレクトロルミネセンスパネル側に延びる少なくとも一つの柱状部を具備し、前記エレクトロルミネセンスパネルには前記柱状部を受容する少なくとも一つの開口部が形成されており、前記補強部と前記エレクトロルミネセンスパネルとを組付ける際には、前記柱状部の先端が前記エレクトロルミネセンスパネルの前記開口部から突出するようにした請求項３に記載の装飾装置。
【発明の詳細な説明】
【技術分野】
【０００１】
本発明は、例えば車両室内や家電機器、オーディオ機器等の装飾のために使用される装飾装置に関する。
【背景技術】
【０００２】
自動車または他の車両の室内などに設置される照明装置は車両内を照らす役目を有している。ところが、近年では、このような室内を単に照らす照明機能だけでなく、室内の美観を向上、つまり室内を加飾する装飾機能を備えた装飾装置も使用されている。
【０００３】
例えば自動車内におけるインストルメントパネル下の足下照明、もしくはセンタークラスタまたはピラーに対する間接照明は、カラフルな複数の色を選択でき、イルミネーションとして使用されている。
【０００４】
また、自動車の内装に用いられる部品としては、木目模様を呈するために用いられる本物の木板、および木目模様が印刷されたフィルムなどが存在している。これら部品は、自動車のセンタークラスタまたはハンドルに使用されたり、オーナメントとしてインパネまたはドアトリムとして使用されている。
【０００５】
例えば特許文献１においては、本物の木板を複数のＬＥＤ（ｌｉｇｈｔ−ｅｍｉｔｔｉｎｇ  ｄｉｏｄｅ）によって側方から照らし、この光を導光体を介して木板を通過させることにより、木板の木目模様に基づく装飾効果を高めると共に、外部照明が無い状態、例えば夜間においても装飾効果を得ることのできる発光装飾装置が開示されている。
【０００６】
また、特許文献２においては、エレクトロルミネセンス（ｅｌｅｃｔｒｏｌｕｍｉｎｅｓｃｅｎｃｅ、ＥＬ）パネルを基材とファブリックとの間に配置し、エレクトロルミネセンスパネルからの光をファブリック越しに供給するようにした照明システムが開示されている。
【特許文献１】特開２００２−２０５５００号公報（第１図）
【特許文献２】特表２００３−５２３８９１号公報（第１図）
【発明の開示】
【発明が解決しようとする課題】
【０００７】
しかしながら、特許文献１に記載の発光装飾装置においては、光源としてＬＥＤを用いているため、発光装飾装置を例えば自動車の内装部品として使用する場合には、内装部品全体の厚さがかなり大きくなる。このため、これら内装部品を例えば自動車の室内に取り付ける場合を想定すると、室内に予め設けられた取付構造部にこの内装部品を適用できない場合も生じうる。また、このような内装部品をドアトリムまたはヘッドライナに使用する場合には、これらドアトリム等と車両外板との間のスペースがわずかであるので、自動車の室内に取り付けるのが困難となる可能性がある。さらに、特許文献１の発光装飾装置は、ＬＥＤを木板の側方に配置して発光させているので発光ムラが生じる上に、木板が比較的広面積である場合には、側方からの光が木板の中央付近まで到達せず、装飾装置としての機能を果たせない場合もある。
【０００８】
一方、特許文献２に記載の照明システムの点灯時には光がファブリック越しに通過して装飾装置としての役目を果たすものの、照明システムの消灯時には、使用者には単にファブリックが見えるだけである。ファブリックは織物、編物などの布地であり、ファブリック自体に模様を施すことも可能であるが、布地の表面状態、例えば表面粗さなどは布地に固有のものであるので、布地によって生じる美観には限界があり、他の基材、例えば木板を用いた場合に得られる美観までを引き起こすことはできない。
【０００９】
本発明はこのような事情に鑑みてなされたものであり、発光ムラを抑えつつ省スペースを図ることが可能であると共に、照明による装飾機能を備えた装飾装置を提供することを目的とする。
【課題を解決するための手段】
【００１０】
前述した目的を達成するために１番目に記載の発明によれば、化粧基材と、該化粧基材の一方の面側に取り付けられたエレクトロルミネセンスパネルとを具備し、該エレクトロルミネセンスパネルからの光が前記化粧基材を通じて透過するようにした装飾装置が提供される。
【００１１】
すなわち１番目の発明においては、化粧基材の一方の面側にエレクトロルミネセンスパネルを取り付けた構成としているために、ＬＥＤを使用する場合と比較して省スペース化が可能であると共に、発光ムラも抑えることができる。さらに、エレクトロルミネセンスパネルが化粧基材を通じて発光することにより、照明による装飾機能を果たすことも可能となる。そして、１番目の発明においては、エレクトロルミネセンスパネルの消灯時においても化粧基材が見える構成となるので、優れた美観を生じさせることができる。なお、化粧基材は、例えば突板または該突板が貼付られた化粧板、もしくは幾何学模様や木目、金属調等の特定模様が印刷されている化粧フィルムでありうる。
【００１２】
２番目の発明によれば、１番目の発明において、さらに、前記化粧基材の他方の面を被覆する透明塗膜を具備する。
すなわち２番目の発明においては、透明塗膜によって化粧基材を保護することが可能となる。
【００１３】
３番目の発明によれば、１番目または２番目の発明において、さらに、前記化粧基材と前記エレクトロルミネセンスパネルとの間に配置された補強部を具備する。
すなわち３番目の発明においては、補強部を用いることにより装飾装置全体の剛性を比較的高くすることができる。補強部として、例えば長手方向および／または横断方向に延びる複数のリブを採用することができる。
【００１４】
４番目の発明によれば、１番目から３番目のいずれかの発明において、さらに、前記化粧基材の前記一方の面に接合する接合基材を具備し、該接合基材が乳白色の材料から形成されている。
５番目の発明によれば、１番目から３番目のいずれかの発明において、さらに、前記化粧基材の前記一方の面に接合する接合基材を具備し、該接合基材は、微細粒子からなる光拡散材が混入された透明材料から形成されている。
６番目の発明によれば、１番目から３番目のいずれかの発明において、さらに、前記化粧基材の前記一方の面に接合する接合基材を具備し、該接合基材は透明材料から形成されており、前記接合基材の表面は所定の手法により荒らされている。
エレクトロルミネセンスパネルに部分的に孔が形成されている場合、および／またはエレクトロルミネセンスパネルの光が局所的に弱い場合には発光ムラとなる可能性があるが、４番目から６番目の発明においては、エレクトロルミネセンスパネルからの光が接合基材によって拡散されるので発光ムラの発生を抑えることができる。特に、３番目の発明に関連したときのように補強部が存在する場合であっても、４番目から６番目の発明においては、光を適切に拡散し、発光ムラが生じるのを抑えることができる。
【００１５】
７番目の発明によれば、１番目から３番目のいずれかの発明において、さらに、前記化粧基材の前記一方の面に接合する接合基材を具備し、該接合基材は所定色の透明材料から形成されている。
８番目の発明によれば、１番目から３番目のいずれかの発明において、さらに、前記化粧基材の前記一方の面側に配置された接合基材を具備し、前記化粧基材と前記接合基材との間には、所定色の透明シートが挿入されている。
すなわち７番目および８番目の発明においては、エレクトロルミネセンスパネルからの本来の光とは異なる色の光を化粧基材に通過させられ、それにより、新たな装飾効果を得ることができる。
【００１６】
９番目の発明によれば、３番目の発明において、前記補強部が前記エレクトロルミネセンスパネル側に延びる少なくとも一つの柱状部を具備し、前記エレクトロルミネセンスパネルには前記柱状部を受容する少なくとも一つの開口部が形成されており、前記補強部と前記エレクトロルミネセンスパネルとを組付ける際には、前記柱状部の先端が前記エレクトロルミネセンスパネルの前記開口部から突出するようにした。
すなわち９番目の発明においては、組付時に柱状部がエレクトロルミネセンスパネルから突出するようになるので、柱状部の突出部分を用いて装飾装置の取付け、例えば自動車の内部への取付けを容易に行うことができるようになる。
【発明の効果】
【００１７】
各発明によれば、発光ムラを抑えつつ省スペースを図ることが可能であると共に、照明による装飾機能を備えた装飾装置を提供できるという共通の効果を奏しうる。
【００１８】
さらに、２番目の発明によれば、化粧基材を保護することが可能となるという効果を奏しうる。
さらに、３番目の発明によれば、装飾装置全体の剛性を比較的高くすることができるという効果を奏しうる。
さらに、４番目から６番目の発明によれば、発光ムラの発生を抑えることができるという効果を奏しうる。
さらに、７番目および８番目の発明によれば、エレクトロルミネセンスパネルからの本来の光とは異なる色の光を化粧基材に通過させられ、それにより、新たな装飾効果を得ることができるという効果を奏しうる。
さらに、９番目の発明によれば、装飾装置の取付けを容易に行うことができるという効果を奏しうる。
【発明を実施するための最良の形態】
【００１９】
以下、添付図面を参照して本発明の実施形態を説明する。以下の図面において同一の部材には同一の参照符号が付けられている。理解を容易にするために、これら図面は縮尺を適宜変更している。
図１は、本発明の実施形態に基づく装飾装置の分解斜視図である。また、図２は、図１に示される装飾装置の他の分解斜視図である。さらに、図３は、本発明の実施形態に基づく装飾装置の組立時の状態を示す側面図である。図３に示される組み立てられた装飾装置１００においては、後述する各部材が互いに接合されている。このときには、各部材は接着剤により互いに接着されるか、または図示しない適切な留め具、例えばネジなどにより連結されるが、これらは公知であるので説明を省略する。これら図面に示される装飾装置１００は、エレクトロルミネセンスパネル５０を含んでおり、従って、エレクトロルミネセンスパネル５０を点灯することにより照明装置としての役目も果たしうる。
【００２０】
装飾装置１００は、例えば自動車の車内の内装として用いることができ、この場合には本発明に基づく装飾装置１００をドアトリムパネル、計器パネル、フロアカーペット類、フロアマット類、トランクパネル、乗客座席、ヘッドライナ、サンバイザおよびリヤデッキと関連して使用することができる。当然のことながら、本発明に基づく装飾装置１００を他の用途、例えば住宅の部屋の壁、天井、床の他、ドアノブ、手すり、さらに各種の家具、ＡＶ機器のハウジングなどに使用することも可能である。
【００２１】
図１から図３に示されるように、本発明に基づく装飾装置１００は、化粧単板２０と、これに対応した外形のエレクトロルミネセンスパネル５０とを含んでいる。図示されるように、エレクトロルミネセンスパネル５０は化粧単板２０の一面２２側に配置されている。
【００２２】
図示される実施形態における化粧単板２０は突板である。突板は天然木を薄く切削することにより形成されている。本発明においては、種々の木目模様、例えば板目、柾目、コブ杢、サバ杢、玉杢、鳥目杢等を有する突板を化粧単板２０として使用することができる。これら突板は、エレクトロルミネセンスパネル５０からの光を透過するのに十分に薄く形成されている。好ましい実施形態においては、化粧単板２０として使用される突板の厚さは、約０．０８ｍｍから約１．０ｍｍの範囲にありうる。
【００２３】
また、特定模様、例えば前述した木目模様が印刷されている化粧フィルムを化粧単板２０として使用するようにしてもよい。この場合には、化粧フィルム単独で化粧単板２０としてもよく、または化粧フィルムと、この化粧フィルムが貼り付けられた適切な基材（図示しない）とをまとめて化粧単板２０としてもよい。さらに、当然のことながら、特定模様が印刷されたプラスチックパネルを化粧単板２０として使用することも可能である。
【００２４】
周知であるように、エレクトロルミネセンスパネル５０は種々の寸法形状に形成することができる略平坦なパネルである。本発明においてはエレクトロルミネセンスパネル５０を採用しているために、装飾装置１００の面積が比較的大きい場合であっても、発光ムラを生じることがなしに、エレクトロルミネセンスパネルからの光が化粧単板２０に均等に透過可能となっている。また、周知であるように、エレクトロルミネセンスパネルの発光色は種々のものが存在しており、用途などに応じて特定の発光色のエレクトロルミネセンスパネル５０を選択することができる。
【００２５】
エレクトロルミネセンスパネル５０は、コントローラ（図示しない）およびエレクトロルミネセンスパネル５０に関連するスイッチ（図示しない）を含む電子回路（図示しない）に接続されている。このコントローラは、例えば自動車に設置されたバッテリ（図示しない）に接続されているので、スイッチを操作することによりエレクトロルミネセンスパネル５０を点灯または消灯することができる。図示しないスイッチは、例えば自動車の乗員が容易に操作できる場所にある手動式スイッチであるのが好ましい。また、エレクトロルミネセンスパネル５０を自動車に設置された図示しない電子制御ユニット（Ｅｌｅｃｔｒｏｎｉｃ  ｃｏｎｔｒｏｌ  ｕｎｉｔ）に接続し、エレクトロルミネセンスパネル５０が電子制御ユニットにより制御される構成としてもよい。さらに、電子回路またはコントローラがエレクトロルミネセンスパネル５０の点灯時間を制御するためのタイマ回路、および／またはエレクトロルミネセンスパネル５０の輝度を制御する輝度レベル回路を備えていてもよい。
【００２６】
また、図１から図３においては、化粧単板２０の他面２１が透明塗膜１０によって被覆されている。透明塗膜１０の厚さは１００μｍ〜１０００μｍ、より望ましくは３５０μｍ〜６００μｍがよい。前述したように化粧単板２０として突板を使用した場合には突板の厚さが小さいので使用者の不注意などにより化粧単板２０が比較的容易に損傷する可能性があるものの、化粧単板２０を透明塗膜１０で被覆することにより化粧単板２０が保護され、従って、化粧単板２０が損傷するのを防止することができる。なお、透明塗膜１０の代わりに、比較的剛性の高い透明なプラスチック材料から形成した板材や透明フィルムを貼り合わせてもよい。
【００２７】
さらに、図１から図３に示されるように、化粧単板２０とエレクトロルミネセンスパネル５０との間には、補強部４０が配置されている。図４は、本発明に基づく装飾装置の補強部の斜視図である。図４に示されるように、本発明の装飾装置１００に使用される補強部４０は化粧単板２０の長手方向に延びる複数の細長状部材４１と、化粧単板２０の横断方向に延びる複数の細長状部材４２とから構成されている。図４などから分かるように、これら細長状部材４１、４２は互いに交差している。また、これら細長状部材４１、４２の高さは概ね等しいので、図面に示される補強部４０は略格子状の部材になっている。補強部４０は装飾装置１００全体の剛性を高める役目を果たしており、補強部４０はあらゆる材料から形成されうるが、軽量化の観点からは補強部４０をプラスチック材料から形成するのが好ましい。なお、補強部４０は必ずしも格子状とする必要はなく、例えば細長状部材４１および４２のいずれか一方だけでもよいし、同心円状や放射状に細長状部材を設けてもよい。
【００２８】
また、図４に示されるように、補強部４０には柱状部６８が設けられている。補強部４０の一側に設けられるこれら柱状部６８は装飾装置１００全体を支持すると共に他の部材、例えば自動車の車内に装飾装置１００自体を取り付ける役目を果たしている。このため、柱状部６８は比較的剛性の高い材料から形成するのが好ましい。図示されるように、柱状部６８の高さは長手方向の細長状部材４１および横断方向の細長状部材４２よりも高くされている。これら柱状部６８は装飾装置１００全体を適切に支持するのに適した位置に配置されており、また柱状部６８の数を装飾装置１００の寸法に応じて変化させてもよい。つまり、装飾装置１００が比較的大面積である場合には柱状部６８の数をさらに増やし、装飾装置１００が比較的小面積である場合には柱状部６８の数をさらに減らす。なお、柱状部６８が後述する接合基材３０に取り付けられる構成としてもよい。
【００２９】
図３に示されるように、装飾装置１００の組立時には、柱状部６８の先端がエレクトロルミネセンスパネル５０の開口部５８を通って突出する。開口部５８から突出した柱状部６８の先端は、例えば自動車の車内に予め形成された取付部（図示しない）に係合可能に形成されている。従って、開口部５８から突出した柱状部６８の先端を用いることにより、装飾装置１００全体を容易に取り付けることが可能となる。
【００３０】
なお、補強部４０がエレクトロルミネセンスパネル５０の他面５２側に配置されていてもよいが、光源であるエレクトロルミネセンスパネル５０を外部の衝撃から保護するために、補強部４０がエレクトロルミネセンスパネル５０の一面５１側に位置しているのが好ましい。
【００３１】
さらに、図４に示されるように、補強部４０の一側には、接合基材３０が接合している。接合基材３０は化粧単板２０に対応した外形を有しており、図１および図２に示されるように、化粧単板２０の一面２２と接合基材３０の一面３１とが接合している。接合基材３０は、例えば乳白色の材料から形成されている。接合基材３０を形成するのに使用される乳白色の材料としては、乳白色のプラスチック材料、例えばポリプロピレン、ポリカーボネート、ＡＢＳまたはアクリルなどが選択される。
【００３２】
また、接合基材３０は必ずしもこれら乳白色の材料から形成する必要はなく、乳白色ではない他の材料を特定の方法により略乳白色にした後で、当該他の材料から接合基材３０を形成するようにしてもよい。乳白色でない材料を略乳白色にする方法としては、例えば透明材料内部に微細粒子からなる光拡散材を混入することが挙げられる。このような場合には、光、つまりエレクトロルミネセンスパネル５０からの光が接合基材３０内を通過するときに拡散する。従って、例えばエレクトロルミネセンスパネル５０が局所的に破損、例えばエレクトロルミネセンスパネル５０に開口部５８が形成されているような場合であっても、接合基材３０によって光を拡散することにより発光ムラの発生を抑えた状態で光を化粧単板２０に透過させられる。
【００３３】
また、他の実施形態においては、透明材料からなる接合基材３０の表面を荒らすことにより略乳白色の接合部材３０を簡易的に形成することもできる。この場合には研掃材を高速投射するショットブラストにより透明材料からなる接合基材３０の表面を荒らしてもよく、また、透明材料からなる接合基材３０に金型から梨地模様を転写するようにしてもよい。さらに、透明材料からなる接合基材３０の化粧単板２０側に、光を拡散させることのできる光透過材料からなる光透過基材を配置してもよい。当然のことながら、このような光透過材料から接合基材３０を単に形成することも可能である。このような場合にも、エレクトロルミネセンスパネル５０からの光が接合部材３０によって拡散され、それにより、発光ムラの発生を抑えた状態で光を化粧単板２０に透過させられる。なお接合基材３０の表面を荒らす場合であって接合基材３０と化粧単板２０を接着剤により接合する場合には、その接着性をより確実とするために、接合基材３０の化粧単板２０との接着面となる一面３１を平滑面とし、反対側の一面３２側の表面を荒らすことが望ましい。
【００３４】
さらに、所定色の透明材料から接合基材３０を形成してもよく、または所定色の透明シートを化粧単板２０と接合基材３０との間に挿入するようにしてもよい。このような場合であっても同様に、エレクトロルミネセンスパネル５０からの光を接合基材３０内部において拡散させ、それにより、発光ムラの発生を抑えた状態で光を化粧単板２０に透過させられる。特に、所定色の透明材料から接合基材３０を形成した場合、および所定色の透明シートを使用している場合には、エレクトロルミネセンスパネル５０からの本来の光とは異なる色の光を化粧単板２０に通過させられ、それにより、新たな装飾効果を得ることも可能となる。また所定色の透明シートを使用する場合、例えば透明シートの周縁部の光透過率を中央部よりも下げることにより、中央から周縁に向かって明るさが徐々に暗くなるという演出することもできる。
【００３５】
接合基材３０を設けることは、エレクトロルミネセンスパネル５０と接合基材３０との間に補強部４０が配置されている場合に特に有利である。このような場合には、エレクトロルミネセンスパネル５０からの光は細長状部材４１、４２自体を通過して接合基材３０に到達するか、または隣り合う細長状部材４１、４２の間の隙間を通って接合基材３０に到達する。つまり、エレクトロルミネセンスパネル５０からの光が接合基材３０に到達したときには、光が通過した経路に応じて光の強度が異なっている。しかしながら、光は接合基材３０内部を通過するときに拡散するので、光が化粧単板２０に到達するときにはこのような光の強度差は解消され、発光ムラが抑えられた光を化粧単板２０に到達させられる。従って、補強部４０が設けられている場合であっても、エレクトロルミネセンスパネル５０からの光は接合基材３０内部において拡散されるので、発光ムラが抑えられた状態で光を化粧単板２０に透過させられる。つまり、本発明においては、接合基材３０が補強部４０と化粧単板２０との間に配置されているので、補強部４０が三次元構造であったとしても、それにより生じる発光ムラを接合基材３０において吸収し、光を化粧単板２０に均等に到達させることが可能となる。
【００３６】
さらに、本発明においては、エレクトロルミネセンスパネル５０の一面５１側に化粧単板２０が配置される構成であるために、エレクトロルミネセンスパネル５０の点灯時にはエレクトロルミネセンスパネル５０からの光が化粧単板２０越しに見られる。そして、エレクトロルミネセンスパネル５０の消灯時には化粧単板２０自体を見ることができる。化粧単板２０には特定模様が予め備えられているので、エレクトロルミネセンスパネル５０の点灯時にはエレクトロルミネセンスパネル５０と化粧基板２０とによって、照明による装飾機能を生じさせられる。そして、エレクトロルミネセンスパネル５０の消灯時においても、特定模様を備えた化粧基材２０が装飾機能を果たすので、本発明においては、従来技術で説明したようなファブリックにより形成されうる美観よりも高い美観を生じさせることが可能となる。
【図面の簡単な説明】
【００３７】
【図１】本発明の実施形態に基づく装飾装置の分解斜視図である。
【図２】図１に示される装飾装置の他の分解斜視図である。
【図３】本発明の実施形態に基づく装飾装置の側面図である。
【図４】本発明に基づく装飾装置の補強部の斜視図である。
【符号の説明】
【００３８】
１０    透明塗膜
２０    化粧単板
３０    接合基材
４０    補強部
４１、４２    細長状部材
５０    エレクトロルミネセンスパネル
５８    開口部
６８    柱状部
１００    装飾装置
【図１】
2006039285.tif 000003
【図２】
2006039285.tif 000004
【図３】
2006039285.tif 000005
【図４】
2006039285.tif 000006